(57)【要約】  平面形状の発光パネルの主表面のより広い範囲を発光面として使用できる照明装置を提供する。照明装置（１）は、主表面（１１）と裏面（１２）とを有し、主表面（１１）側に発光面（１３）を有する、平板形状の発光パネル（１０）と、発光パネル（１０）を支持するパネル支持部（３０）と、発光パネル（１０）の裏面（１２）に取り付けられた支持接合部（２０）と、を備える。発光パネル（１０）は、支持接合部（２０）がパネル支持部（３０）に接合されて、パネル支持部（３０）により支持される。
2012073605.tif 000002
【特許請求の範囲】
【請求項１】
主表面と裏面とを有し、前記主表面側に発光面を有する、平板形状の発光パネルと、
前記発光パネルを支持するパネル支持部と、
前記発光パネルの前記裏面に取り付けられた支持接合部と、を備え、
前記発光パネルは、前記支持接合部が前記パネル支持部に接合されて、前記パネル支持部により支持される、照明装置。
【請求項２】
前記支持接合部が前記パネル支持部に接合された状態で、前記発光パネルは、前記パネル支持部を軸として揺動可能である、請求項１に記載の照明装置。
【請求項３】
前記発光パネルを収容するケーシングと、
前記ケーシングの内部に取り付けられた固定部と、をさらに備え、
前記パネル支持部は、前記固定部を介して前記ケーシングに固定される、請求項１または請求項２に記載の照明装置。
【請求項４】
前記パネル支持部に対する前記発光パネルの相対位置を定める位置決め部をさらに備える、請求項２または請求項３に記載の照明装置。
【請求項５】
複数の前記位置決め部を備える、請求項４に記載の照明装置。
【請求項６】
前記ケーシングには、開口部が形成されており、
前記発光パネルは、前記発光パネルが前記ケーシングに収容された取付位置と、前記発光パネルの一部が前記開口部を経由して前記ケーシングの外部に位置する脱着位置と、の間を、前記パネル支持部を軸として揺動する、請求項３に記載の照明装置。
【請求項７】
前記発光面は、前記開口部を介して前記ケーシングの外部へ露出する、請求項６に記載の照明装置。
【請求項８】
前記発光面を押圧することにより、前記発光パネルは前記取付位置から前記脱着位置へ、前記パネル支持部を軸として揺動する、請求項６または請求項７に記載の照明装置。
【請求項９】
前記パネル支持部は、給電側電極を含み、
前記支持接合部は、受電側電極を含み、
前記給電側電極と前記受電側電極とが電気的に接続することにより、前記発光パネルへの給電経路が形成される、請求項１から請求項８のいずれかに記載の照明装置。
【請求項１０】
前記発光パネルは、前記支持接合部と前記パネル支持部との接合を解除可能な第一の位置と、前記支持接合部が前記パネル支持部に対し固定された第二の位置と、の間を、前記パネル支持部を軸として揺動可能であり、
前記給電側電極と前記受電側電極とは、前記発光パネルが前記第二の位置に配置されたとき電気的に接続する、請求項９に記載の照明装置。
【請求項１１】
主表面と裏面とを有する平面形状の発光パネルであって、
前記主表面側に発光面を有し、
前記裏面に支持接合部が取り付けられ、
前記支持接合部がパネル支持部に接合されることによって前記パネル支持部に支持される、発光パネル。
【請求項１２】
前記支持接合部が前記パネル支持部に接合された状態で、前記パネル支持部を軸として揺動可能である、請求項１１に記載の発光パネル。
【発明の詳細な説明】
【技術分野】
【０００１】
本発明は、照明装置および発光パネルに関し、特に、平面形状の発光パネルを備える照明装置と、その照明装置に好適に用いられる発光パネルとに関する。
【背景技術】
【０００２】
近年、これまでの点発光照明に代わり、面発光光源の照明装置が注目されている。たとえば特開２００７−２５０３０３号公報（特許文献１）には、発光パネルと、発光パネルを収容する筐体と、筐体内に配設され、発光パネルに側方から係合して当該発光パネルを保持する保持部材とを備えている、発光パネル式照明器具が提案されている。また特開２０１０−４４１５６号公報（特許文献２）には、一面が発光面となっている面発光シートの発光面の側に、広告情報や風景絵等を描いている表示シートを支持するホルダが配置されている、バックライト装置が提案されている。
【先行技術文献】
【特許文献】
【０００３】
【特許文献１】特開２００７−２５０３０３号公報
【特許文献２】特開２０１０−４４１５６号公報
【発明の概要】
【発明が解決しようとする課題】
【０００４】
有機ＥＬ（ｅｌｅｃｔｒｏｌｕｍｉｎｅｓｃｅｎｃｅ）などの発光パネルを備える照明装置では、発光面の面積が大きいほど、照明装置が発生する光の光度を大きくできるので望ましい。上記特開２００７−２５０３０３号公報（特許文献１）に記載の装置では、発光パネルを保持する保持部材が発光パネルの表面に係合しており、保持部材と係合する表面の一部は発光面として利用できない。また特開２０１０−４４１５６号公報（特許文献２）に記載の装置では、面発光シートの周囲がホルダと係合しており、面発光シートのホルダと係合する部分は発光面として利用できない。つまり、上記特許文献に記載の装置では、発光パネルがその表面に発光面として利用できない領域を有しており、その結果、発光パネルの表面に対する発光面積の割合が減少するので、照明装置の光度を大きくできない問題があった。特に、複数の照明装置を天井や壁面などに平面状に並べて配置する場合などにおいては、発光面側に上記のような係合部が配置されないことが望ましい。【０００５】
本発明は上記の課題に鑑みてなされたものであり、その主たる目的は、平面形状の発光パネルの主表面のより広い範囲を発光面として使用することのできる、照明装置を提供することである。
【課題を解決するための手段】
【０００６】
本発明に係る照明装置は、主表面と裏面とを有し、主表面側に発光面を有する、平板形状の発光パネルと、発光パネルを支持するパネル支持部と、発光パネルの裏面に取り付けられた支持接合部と、を備える。発光パネルは、支持接合部がパネル支持部に接合されて、パネル支持部により支持される。【０００７】
上記照明装置において好ましくは、支持接合部がパネル支持部に接合された状態で、発光パネルは、パネル支持部を軸として揺動可能である。【０００８】
上記照明装置において好ましくは、発光パネルを収容するケーシングと、ケーシングの内部に取り付けられた固定部と、をさらに備え、パネル支持部は、固定部を介してケーシングに固定される。【０００９】
上記照明装置において好ましくは、パネル支持部に対する発光パネルの相対位置を定める位置決め部をさらに備える。照明装置は、複数の位置決め部を備えてもよい。【００１０】
上記照明装置において好ましくは、ケーシングには開口部が形成されており、発光パネルは、発光パネルがケーシングに収容された取付位置と、発光パネルの一部が開口部を経由してケーシングの外部に位置する脱着位置と、の間を、パネル支持部を軸として揺動する。【００１１】
上記照明装置において好ましくは、発光面は、開口部を介してケーシングの外部へ露出する。【００１２】
上記照明装置において好ましくは、発光面を押圧することにより、発光パネルは取付位置から脱着位置へ、パネル支持部を軸として揺動する。【００１３】
上記照明装置において好ましくは、パネル支持部は、給電側電極を含み、支持接合部は、受電側電極を含み、給電側電極と受電側電極とが電気的に接続することにより、発光パネルへの給電経路が形成される。【００１４】
上記照明装置において好ましくは、発光パネルは、支持接合部とパネル支持部との接合を解除可能な第一の位置と、支持接合部がパネル支持部に対し固定された第二の位置と、の間を、パネル支持部を軸として揺動可能であり、給電側電極と受電側電極とは、発光パネルが第二の位置に配置されたとき電気的に接続する。【００１５】
本発明に係る発光パネルは、主表面と裏面とを有する平面形状の発光パネルであって、主表面側に発光面を有し、裏面に支持接合部が取り付けられ、支持接合部がパネル支持部に接合されることによってパネル支持部に支持される。【００１６】
上記発光パネルにおいて好ましくは、支持接合部がパネル支持部に接合された状態で、パネル支持部を軸として揺動可能である。
【発明の効果】
【００１７】
本発明の照明装置によると、発光パネルの主表面のより広い範囲を発光面として使用することができる。
【図面の簡単な説明】
【００１８】
【図１】実施の形態１の照明装置の概略構成を示す断面図である。
【図２】図１に示す照明装置のブロック図である。
【図３】発光パネルをケーシングから取り外す際の第一のステップを示す模式図である。
【図４】発光パネルをケーシングから取り外す際の第二のステップを示す模式図である。
【図５】発光パネルをケーシングから取り外す際の第三のステップを示す模式図である。
【図６】支持接合部とパネル支持部との第一の例の構成を示す模式図である。
【図７】図６に示す接合部と支持部とが接合した状態を示す模式図である。
【図８】支持接合部とパネル支持部との第二の例の構成を示す模式図である。
【図９】図８に示す接合部と支持部とが接合した状態を示す模式図である。
【図１０】支持接合部とパネル支持部との第三の例の構成を示す模式図である。
【図１１】図１０に示す接合部と支持部とが接合した状態を示す模式図である。
【図１２】接合部および支持部に設置された電極の第一の例を示す模式図である。
【図１３】図１２に示す接合部と支持部とが接合した状態を示す模式図である。
【図１４】接合部および支持部に設置された電極の第二の例を示す模式図である。
【図１５】図１４に示す接合部と支持部とが接合した状態を示す模式図である。
【図１６】固定部の構成の第一の例を示す三面図である。
【図１７】固定部の構成の第二の例を示す三面図である。
【図１８】位置決め部によって支持接合部が特定角度に固定された状態を示す模式図である。
【図１９】支持接合部の固定状態が解除された状態を示す模式図である。
【図２０】支持接合部が複数の位置決め部を有する例を示す模式図である。
【図２１】支持接合部とパネル支持部との第四の例の構成を示す模式図である。
【発明を実施するための形態】
【００１９】
以下、図面に基づいてこの発明の実施の形態を説明する。なお、以下の図面において、同一または相当する部分には同一の参照番号を付し、その説明は繰返さない。
【００２０】
（実施の形態１）
図１は、実施の形態１の照明装置１の概略構成を示す断面図である。図２は、図１に示す照明装置１のブロック図である。図１および図２に示すように、照明装置１は、照明装置１の光源を形成する、平板形状の発光パネル１０を備える。発光パネル１０は、主表面１１と裏面１２とを有し、主表面１１側に薄膜状の発光面１３を有する。発光パネル１０の主表面１１の全体に発光面１３が設けられており、主表面１１の全体が発光する。
【００２１】
照明装置１は、大きく２つのブロックに分かれている。一方のブロックは、発光パネル１０と、発光パネル１０の主表面１１とは反対側の裏面１２の略中央部に設置された、支持接合部２０の一例としての接合部２１と、が一体になったブロックである。他方のブロックは、発光パネル１０を収容する中空箱状のケーシング５０と、ケーシング５０の内部に取り付けられた固定部４０（図１には不図示）と、固定部４０を介してケーシング５０の内部に固定され、発光パネル１０を支持するパネル支持部３０の一例としての支持部３１と、が一体になったブロックである。これら２つのブロックが、接合部２１と支持部３１との接合により一体化され、全体がモジュール化された照明装置１を形成している。
【００２２】
ケーシング５０は、背面部５２と側部５３とを有し、照明装置１の発光面１３以外を覆う形状となっている。ケーシング５０に固定部４０が接続されていて、固定部４０は支持部３１を固定している。接合部２１は、対応する支持部３１と接合可能な構造を有する。発光パネル１０は、裏面１２に取り付けられた支持接合部２０がパネル支持部３０に接合されて、パネル支持部３０によって支持される。ケーシング５０により発光パネル１０を保持した照明モジュールを形成することにより、照明装置１の容易な設置が可能とされている。
【００２３】
面自体が発光する特徴を持つ発光パネル１０は消耗品であり、寿命に伴う性能劣化や破損などにより点灯しなくなると、交換が必要となる。発光パネル１０の交換時には、発光パネル１０と接合部２１とが一体になった上記一方のブロックごと、上記他方のブロックから取り外せるようになっている。
【００２４】
矩形箱状のケーシング５０の、背面部５２と対向する面には、開口部５１が形成されている。発光パネル１０の発光面１３は、発光パネル１０の主表面１１の全体に形成されており、発光面１３の全体が開口部５１からケーシング５０の外部に露出するように配置されている。ケーシング５０に取り付けられた発光パネル１０に給電されることにより、発光面１３が発光する。発光パネル１０が電力を受け得る配置にあるとき、発光パネル１０の主表面１１は、開口部５１が形成されたケーシング５０の一面に近接して配置される。これにより、発光面１３から発生した光の略すべてが、開口部５１を経由して、照明装置１の外部へ照射される。
【００２５】
接合部２１が支持部３１に接合された状態で、発光パネル１０は、支持部３１を軸として揺動可能とされている。発光パネル１０は、図１に示すようにケーシング５０に収容された位置に配置されることができ、また、発光パネル１０の一部が開口部５１を経由してケーシング５０の外部に位置するように配置されることもできる。図１に示す発光パネル１０の配置では、発光パネル１０はケーシング５０に取り付けられており、この発光パネル１０の位置を取付位置と称する。一方、後述のように、発光パネル１０の一部がケーシング５０の外部に位置する配置で、発光パネル１０をケーシング５０から取り外したり、また発光パネル１０をケーシング５０へ取り付けたりすることができ、この発光パネル１０の位置を脱着位置と称する。
【００２６】
発光パネル１０は、支持部３１を軸として、取付位置と脱着位置との間を揺動する。発光パネル１０が脱着位置にあるとき、発光面１３を含む発光パネル１０の一部は、開口部５１を介してケーシング５０の外部へ露出する。
【００２７】
上記の構成を備える照明装置１において、発光パネル１０の交換について説明する。図３は、発光パネル１０をケーシング５０から取り外す際の第一のステップを示す模式図である。図４は、発光パネル１０をケーシング５０から取り外す際の第二のステップを示す模式図である。図５は、発光パネル１０をケーシング５０から取り外す際の第三のステップを示す模式図である。
【００２８】
図３に示す取付位置にある発光パネル１０に対し、ケーシング５０の開口部５１側から背面部５２側へ向かって発光面１３の端部を手などで押圧することにより、接合部２１と支持部３１とが接合した状態で、発光パネル１０は支持部３１を中心軸として回転する。その結果、図４に示すように、発光パネル１０は揺動することによって取付位置にある状態から脱着位置にある状態に変わり、ケーシング５０に対して発光パネル１０が斜めに傾き、発光パネル１０の一部がケーシング５０の内部へ押し込まれると同時に、他の一部が開口部５１を介してケーシング５０の外側へ突き出る。ケーシング５０の外部へ突き出した発光パネル１０の一部を手で掴み、発光パネル１０の端部を手で持ちながら引き抜く。これにより、図５に示すように、接合部２１と支持部３１との接合が外れ、発光パネル１０はケーシング５０から取り外される。
【００２９】
発光パネル１０をケーシング５０へ嵌めるときには、図３〜５を参照して説明した上記の手順とちょうど逆の動作を行なえばよい。具体的には、図５に示す、ケーシング５０から発光パネル１０が外れた状態から、発光パネル１０を手で把持して接合部２１と支持部３１とを嵌合させる。その後支持部３１回りに発光パネル１０を回転移動させることにより、図３に示すように、発光パネル１０がケーシング５０に収容され支持された状態にすることができる。
【００３０】
以上説明した照明装置１によれば、発光パネル１０を支持する支持部３１と、発光パネル１０の裏面１２に取り付けられた接合部２１と、を備え、接合部２１が支持部３１に接合されて、支持部３１により発光パネル１０が支持される。発光パネル１０を主表面１１と反対側の裏面１２から支持して、主表面１１側に係合する部材をなくし、主表面１１にデッドスペース（発光に使用できない領域）が形成されないようにしたので、主表面１１の略全面を発光面１３として使用することが可能となる。これにより、主表面１１のより広い範囲を発光面１３として利用できるので、発光パネル１０の主表面１１に対する発光面１３の割合が増加し、照明装置１の光度を増大させることができる。
【００３１】
モジュール化された照明装置１の設置はケーシング５０毎で実施できるので、照明装置１はその設置場所を選ばない。特に、複数の照明装置１を天井や壁面などに平面状に並べて配置した照明システムを形成する場合、発光面１３の面積を増大させた本実施の形態の照明装置１を使用することにより、隣接する照明装置１の発光面１３間の発光しない隙間を小さくすることができる。したがって、照明ムラの小さい、より高品質な照明システムを形成することができる。
【００３２】
また、ケーシング５０に収容された取付位置にある発光パネル１０の発光面１３を押圧することにより、発光パネル１０を支持部３１回りに回動させ、発光パネル１０をその一部がケーシング５０の外部に位置する脱着位置へ移動させることができる。発光パネル１０がケーシング５０に対して所定の角度に傾いた状態で支持部３１と接合部２１とを脱着可能にすることができるので、性能の劣化した発光パネル１０を新品の発光パネル１０と簡単に交換することができる。たとえば照明装置１を天井と平行に埋め込んで使用している場合、発光パネル１０の交換のためのスペースや掴み部材などを主表面１１側に用意する必要がないため、上述した通り、主表面１１の全面を発光面１３として使用することができる。
【００３３】
（実施の形態２）
実施の形態２では、支持接合部２０とパネル支持部３０との具体的な構成の例について説明する。図６は、支持接合部２０とパネル支持部３０との第一の例の構成を示す模式図であり、接合部２１が支持部３１から取り外された状態を示している。図７は、図６に示す接合部２１と支持部３１とが接合した状態を示す模式図である。
【００３４】
図６に示すように、パネル支持部３０の第一の例としての支持部３１は、中空の円筒形状に形成されている。支持接合部２０の第一の例としての接合部２１は、パイプ状の支持部３１の外径に対応する一対の爪状部を有し、当該爪状部はその先端において間隔が広がる形状となっている弾性変形可能な弾性部材で形成されている。
【００３５】
接合部２１と支持部３１とを接合させようとし、一対の爪状部間に支持部３１を嵌め入れるとき、支持部３１から接合部２１へ、一対の爪状部同士の間隔が広がるような応力が作用する。この応力により、接合部２１を弾性変形させて、一対の爪状部の間に支持部３１を嵌め込む。支持部３１が爪状部の先端部を通り過ぎると、爪状部はもとの形状に戻ろうとし、一対の爪状部同士が近接する方向に応力を作用する。この応力によって、接合部２１と支持部３１との接合を維持することができる。
【００３６】
図８は、支持接合部２０とパネル支持部３０との第二の例の構成を示す模式図であり、接合部２２が支持部３２から取り外された状態を示している。図９は、図８に示す接合部２２と支持部３２とが接合した状態を示す模式図である。図８および図９に示す接合部２２は、上述した接合部２１と同様に一対の爪状部を有するが、この爪状部は、接合部２１の爪状部と異なり弾性変形することができない。一方支持部３２は、その径が一部異なっており、パイプ形状の外面の相対向する一部が除去され、平行な２面を有する形状である。接合部２２の爪状部の先端間の寸法が支持部３２の平行な２面間の距離よりも僅かに大きくなるように、接合部２２と支持部３２とはその形状が調整されている。
【００３７】
接合部２２と支持部３２とを接合させるには、図８に示すように、支持部３２において外径の小さい二面幅形状と接合部２２の爪状部間の隙間とが位置合わせされるように、支持部３２に対する接合部２２の位置を調整する。そして、支持部３２の二面幅形状に対して平行に接合部２２を移動させて、接合部２２の内側に支持部３２を嵌め入れる。その後支持部３２に対して接合部２２を相対回転させることにより、図９に示すように、接合部２２と支持部３２とを確実に接合することができる。上記と逆の手順に従って、接合部２２を支持部３２に対して相対回転させ支持部３２の二面幅形状に対して接合部２２の位置を調整することで、接合部２２を支持部３２から容易に取り外すことができる。
【００３８】
図１０は、支持接合部２０とパネル支持部３０との第三の例の構成を示す模式図であり、接合部２３が支持部３３から取り外された状態を示している。図１１は、図１０に示す接合部２３と支持部３３とが接合した状態を示す模式図である。図１０および図１１に示す構成は、基本的に上述した図６および図７に示す構成と同様であるが、支持部３１がパイプ状であるのに対し、パネル支持部３０の第三の例としての支持部３３は、ボール状の形状を有する。
【００３９】
接合部２３はボール状の支持部３３の周囲を包むような形状の弾性部材で形成されている。この接合部２３が弾性変形することにより、支持部３３と接合部２３とが接合される。このとき、支持部３３がボール状の形状を有しボールジョイントとして機能するので、支持部３３に対する接合部２３の動きの自由度が二軸に増加する。したがって、接合部２３と支持部３３との脱着をより容易に行なうことができるので、発光パネル１０をより容易に交換することができる。ただし、発光パネル１０が取付位置にある状態で、発光面に沿った平面内で回転しないよう固定したい場合は、支持部３３と接合部２３とを２箇所に設けてもよい。
【００４０】
（実施の形態３）
実施の形態３では、発光パネル１０へ給電するための電極の配置の例について説明する。図１２は、接合部２２および支持部３２に設置された電極６１，６２の第一の例を示す模式図である。図１３は、図１２に示す接合部２２と支持部３２とが接合した状態を示す模式図である。
【００４１】
図１２および図１３に示すように、支持部３２は、給電側電極６１を含む。接合部２２は、受電側電極６２を含む。支持部３２側の給電側電極６１と接合部２２側の受電側電極６２とが電気的に接続することにより、ケーシング５０の外部から発光パネル１０へ至る給電経路が形成される。なお、ケーシング５０の外部からケーシング５０への給電は、照明装置１が設置される設置部に設けられた給電装置とケーシング５０との間で、コネクタなど一般的な給電手段を使用して行なうことができる。ケーシング５０から給電側電極６１へ至る給電経路は、従来の配線を使用すればよい。給電側電極６１および受電側電極６２は、導電性の素材で形成されるものであれば、どのような構成であってもよい。
【００４２】
図１３に示すように、支持部３２に取り付けられた給電側電極６１と接合部２２に取り付けられた受電側電極６２は、接合部２２と支持部３２とが接合されたとき、互いに対向する位置に配置される。給電側電極６１と受電側電極６２とは、互いに接触することにより電気的に接続され、発光パネル１０への電気の供給を可能とする。
【００４３】
給電側電極６１と受電側電極６２とが、それぞれ支持部３２、接合部２２に取り付けられているために、発光パネル１０への給電のための給電経路を別途設ける必要はない。これにより、照明装置１の構成を簡略化でき、製造コストを低減することができる。また、発光パネル１０の裏面１２側に設けられた接合部２２を介して発光パネル１０へ給電されるので、主表面１１側に給電のための設備は設けられない。そのため、主表面１１のより広い範囲を発光面１３として利用でき、照明装置１の光度を増大させることができる。
【００４４】
図１４は、接合部２２および支持部３２に設置された電極６１，６３の第二の例を示す模式図である。図１５は、図１４に示す接合部２２と支持部３２とが接合した状態を示す模式図である。
【００４５】
図１２に示す受電側電極６２は接合部２２の延在方向に沿って延びるように接合部２２に取り付けられている。これに対し、図１４および図１５に示す受電側電極６３は、接合部２２の延在方向に沿う長さが受電側電極６２と比較して大幅に小さくされている点で異なっている。
【００４６】
実施の形態１で説明したように、発光パネル１０は、支持接合部２０とパネル支持部３０との接合を解除可能な第一の位置である脱着位置と、支持接合部２０がパネル支持部３０に対し固定された第二の位置である取付位置と、の間を移動可能である。図１４には、図示しない発光パネル１０が脱着位置にある状態が図示されており、一方図１５には、図示しない発光パネル１０が取付位置にある状態が図示されている。つまり、図１４と図１５とを比較して、給電側電極６１と受電側電極６２とは、発光パネル１０が取付位置に配置されたとき電気的に接続し、発光パネル１０が脱着位置に配置されたときには給電側電極６１と受電側電極６２とは電気的に接続していない。
【００４７】
このように、発光パネル１０の交換時には給電側電極６１と受電側電極６３とが接触しない構成とすれば、図５を参照して説明したようにユーザが発光パネル１０を手で掴んで取り外すときに、発光パネル１０への通電は起こり得ない。したがって、発光パネル１０への通電を切り替えるための給電スイッチ（不図示）を誤ってＯＮにしたまま発光パネル１０を交換しても、発光パネル１０へ給電されないので、安全に取換作業を実施することができる。
【００４８】
なお、実施の形態３を示す各図では、理解を容易にするため、給電側電極６１と受電側電極６２との間に隙間があるように図示されているが、実際には両者は接触しているものとする。
【００４９】
（実施の形態４）
実施の形態４では、固定部４０によるパネル支持部３０のケーシング５０への固定について説明する。図１６は、固定部４０の構成の第一の例を示す三面図である。なお図１６と、後述する図１７とにおいては、発光パネル１０を含むブロックは図示されていない。
【００５０】
図１６に示す例では、ケーシング５０の対向する一対の側部５３に固定部４０の一例としての固定部材４１が固定されている。固定部材４１は、ケーシング５０の側部５３の内面に配置されている。パネル支持部３０としてのパイプ状の支持部３１は、その両端が固定部材４１で固定されることにより、固定部材４１を介してケーシング５０に取り付けられる。
【００５１】
図１７は、固定部４０の構成の第二の例を示す三面図である。図１７に示す例では、ケーシング５０の背面部５２から開口部５１側へ向かって、固定部４０の他の例としての二本の固定部材４４が吊り下げられている。固定部材４４は、ケーシング５０の背面部５２の内面に配置されている。パネル支持部３０としての支持部３４は、固定部材４４に固定されることにより、ケーシング５０に対して吊り下げられた状態で取り付けられる。
【００５２】
なお、上記の第一の例、第二の例のいずれにおいても、支持部３１および３４の表面の長手方向に亘って、図１２で説明したものと同様の給電側電極が配置されており、これらの電極には固定部材４１および４４を介して電流が供給されるものとする。
【００５３】
以上説明した図１６，１７に示す例のほか、任意の方法を使用して、パネル支持部３０をケーシング５０に固定してもよい。パネル支持部３０をケーシング５０に対して固定することにより、パネル支持部３０と支持接合部２０とを接合させ、発光パネル１０をケーシング５０に取り付けることができる。
【００５４】
（実施の形態５）
実施の形態５では、パネル支持部３０に対して支持接合部２０の配置を規定する位置決め部について説明する。図１８は、支持接合部２０が特定角度に保持された状態を示す模式図である。
【００５５】
図１８および図１９に示すパネル支持部３０としての支持部３１は、パイプ状の形状を有し、その外周面の一箇所に付勢部７１が設けられている。付勢部７１は、ボール状の部材と、そのボール状の部材を支持部３１の径方向外側へ付勢する付勢部材とを備える。付勢部材はバネであってもよく、当該バネはボール状の部材に内蔵されていてもよい。
【００５６】
支持接合部２０としての接合部２１には、接合部２１の内周面２４の一部が窪んだ凹部７３が形成されている。凹部７３は、付勢部７１のボール状の部材が嵌合するような形状に形成されている。凹部７３の内面は、球面の一部形状に形成されてもよい。
【００５７】
図１９は、発光パネル１０が脱着位置にある状態を示しており、付勢部７１が接合部２１によって径方向外側から押圧されている。そのため、付勢部７１のボール状の部材は、円筒パイプ状の支持部３１の内部に押し込められている。しかし接合部２１を図１９に示す矢印方向に回転させるように移動させることにより、凹部７３に相当する角度にくると付勢部７１が凹みに入りこむ。すなわち、図１８に示すように接合部２１は支持部３１に対して固定状態となって、発光パネル１０は取付位置で固定される。この固定力は付勢部材の付勢力によるものなので、当該付勢部材の付勢力を越える力で接合部２１を図１８に示す矢印方向に回転させると、固定状態が解除されて図１９の状態になり、接合部２１を支持部３１から容易に取り外すことができる。
【００５８】
接合部２１は、実施の形態１で説明した通り、発光パネル１０の裏面１２に取り付けられている。そのため、図１８に示すように接合部２１が支持部３１に対して位置決めされることで、支持部３１に対する発光パネル１０の相対位置も定められる。付勢部７１は、発光パネル１０の相対位置を規定する位置決め部として機能する。
【００５９】
また、図２０に示すように複数の付勢部７１，７２を設けてもよく、これにより、発光パネル１０を複数箇所で位置決めすることができる。なお図２０は、支持接合部２０が複数の位置決め部を有する例を示す模式図である。
【００６０】
このように、照明装置１が付勢部７１，７２と凹部７３とを備えることにより、照明する対象に応じて、発光パネルを特定の角度に固定して取り付けることが可能である。
【００６１】
（実施の形態６）
上記で説明した実施形態では、円筒状またはボール状の支持部と、支持部の外径に対応する爪状部を有した接合部の例を説明したが、支持部と接合部との形状を入れ替えた構成にすることも可能である。
【００６２】
図２１は、支持接合部２０とパネル支持部３０の第四の例の構成を示す模式図であり、接合部２５の形状が中空の円筒形状で、支持部３５が、接合部２５の外径に対応する爪状部を有した形状となっている。
【００６３】
このような構成にすることで、給電側の電極は爪状部の内側に配置されるので、発光パネルを交換する際に給電側の電極に手が触れにくく、安全に作業を行うことができる。
【００６４】
また、たとえば、接合部２５の形状がボール状の形状を有し、支持部３５がボール状の接合部２５の周囲を包むような形状の弾性部材であってもよい。
【００６５】
以上のように本発明の実施の形態について説明を行なったが、各実施の形態の構成を適宜組合せてもよい。また、今回開示された実施の形態はすべての点で例示であって、制限的なものではないと考えられるべきである。この発明の範囲は上記した説明ではなくて請求の範囲によって示され、請求の範囲と均等の意味、および範囲内でのすべての変更が含まれることが意図される。
【符号の説明】
【００６６】
１  照明装置、１０  発光パネル、１１  主表面、１２  裏面、１３  発光面、２０  支持接合部、２１，２２，２３，２５  接合部、３０  パネル支持部、３１，３２，３３，３４，３５  支持部、４０  固定部、４１，４４  固定部材、５０  ケーシング、５１  開口部、５２  背面部、５３  側部、６１  給電側電極、６２，６３  受電側電極、７１，７２  付勢部、７３  凹部。
【図１】
2012073605.tif 000003
【図２】
2012073605.tif 000004
【図３】
2012073605.tif 000005
【図４】
2012073605.tif 000006
【図５】
2012073605.tif 000007
【図６】
2012073605.tif 000008
【図７】
2012073605.tif 000009
【図８】
2012073605.tif 000010
【図９】
2012073605.tif 000011
【図１０】
2012073605.tif 000012
【図１１】
2012073605.tif 000013
【図１２】
2012073605.tif 000014
【図１３】
2012073605.tif 000015
【図１４】
2012073605.tif 000016
【図１５】
2012073605.tif 000017
【図１６】
2012073605.tif 000018
【図１７】
2012073605.tif 000019
【図１８】
2012073605.tif 000020
【図１９】
2012073605.tif 000021
【図２０】
2012073605.tif 000022
【図２１】
2012073605.tif 000023
【手続補正書】
【提出日】平成24年3月22日(2012.3.22)
【手続補正１】
【補正対象書類名】明細書
【補正対象項目名】０００６
【補正方法】変更
【補正の内容】
【０００６】
本発明の一の局面に係る照明装置は、主表面と裏面とを有し、主表面側に発光面を有する、平板形状の発光パネルと、発光パネルの裏面に取り付けられた支持接合部と、発光パネルを支持するパネル支持部と、発光パネルを収容する、開口部が形成されたケーシングと、ケーシングの内部に取り付けられ、パネル支持部をケーシング内に固定する固定部と、を備える。発光パネルは、支持接合部がパネル支持部に接合されて、パネル支持部により支持され、発光パネルがケーシングに収容された取付位置と、発光パネルの一部が開口部を経由してケーシングの外部に位置する脱着位置と、の間を、パネル支持部を軸として揺動する。
【手続補正２】
【補正対象書類名】明細書
【補正対象項目名】０００７
【補正方法】変更
【補正の内容】
【０００７】
上記照明装置において好ましくは、パネル支持部に対する発光パネルの相対位置を定める位置決め部をさらに備える。照明装置は、複数の位置決め部を備えてもよい。
【手続補正３】
【補正対象書類名】明細書
【補正対象項目名】０００８
【補正方法】変更
【補正の内容】
【０００８】
上記照明装置において好ましくは、発光面は、開口部を介してケーシングの外部へ露出する。
【手続補正４】
【補正対象書類名】明細書
【補正対象項目名】０００９
【補正方法】変更
【補正の内容】
【０００９】
上記照明装置において好ましくは、発光面を押圧することにより、発光パネルは取付位置から脱着位置へ、パネル支持部を軸として揺動する。
【手続補正５】
【補正対象書類名】明細書
【補正対象項目名】００１０
【補正方法】変更
【補正の内容】
【００１０】
本発明の他の局面に係る照明装置は、主表面と裏面とを有し、主表面側に発光面を有する、平板形状の発光パネルと、発光パネルの裏面に取り付けられた支持接合部と、発光パネルを支持するパネル支持部と、を備える。発光パネルは、支持接合部がパネル支持部に接合されて、パネル支持部により支持される。パネル支持部は、給電側電極を含み、支持接合部は、受電側電極を含み、給電側電極と受電側電極とが電気的に接続することにより、発光パネルへの給電経路が形成される。
【手続補正６】
【補正対象書類名】明細書
【補正対象項目名】００１１
【補正方法】変更
【補正の内容】
【００１１】
上記照明装置において好ましくは、発光パネルは、支持接合部とパネル支持部との接合を解除可能な第一の位置と、支持接合部がパネル支持部に対し固定された第二の位置と、の間を、パネル支持部を軸として揺動可能であり、給電側電極と受電側電極とは、発光パネルが第二の位置に配置されたとき電気的に接続する。
【手続補正７】
【補正対象書類名】明細書
【補正対象項目名】００１２
【補正方法】変更
【補正の内容】
【００１２】
上記照明装置において好ましくは、パネル支持部に対する発光パネルの相対位置を定める位置決め部をさらに備える。照明装置は、複数の位置決め部を備えてもよい。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
本発明の一の局面に係る発光パネルは、主表面と裏面とを有し、主表面側に発光面を有する、平板形状の発光パネルと、発光パネルの裏面に取り付けられた支持接合部と、発光パネルを支持するパネル支持部と、発光パネルを収容する、開口部が形成されたケーシングと、ケーシングの内部に取り付けられ、パネル支持部をケーシング内に固定する固定部と、を備えた照明装置に用いられる発光パネルである。発光パネルは、支持接合部がパネル支持部に接合されることによってパネル支持部に支持され、発光パネルがケーシングに収容された取付位置と、発光パネルの一部が開口部を経由してケーシングの外部に位置する脱着位置と、の間を、パネル支持部を軸として揺動する。
【手続補正１１】
【補正対象書類名】明細書
【補正対象項目名】００１６
【補正方法】変更
【補正の内容】
【００１６】
本発明の他の局面に係る発光パネルは、主表面と裏面とを有し、主表面側に発光面を有する、平板形状の発光パネルと、発光パネルの裏面に取り付けられた支持接合部と、発光パネルを支持するパネル支持部と、を備えた照明装置に用いられる発光パネルである。発光パネルは、支持接合部がパネル支持部に接合されて、パネル支持部により支持され、パネル支持部に含まれる給電側電極と支持接合部に含まれる受電側電極とが電気的に接続することにより、発光パネルへの給電経路が形成される。
【手続補正１２】
【補正対象書類名】特許請求の範囲
【補正対象項目名】全文
【補正方法】変更
【補正の内容】
【特許請求の範囲】
【請求項１】
主表面と裏面とを有し、前記主表面側に発光面を有する、平板形状の発光パネルと、
前記発光パネルの前記裏面に取り付けられた支持接合部と、
前記発光パネルを支持するパネル支持部と、
前記発光パネルを収容する、開口部が形成されたケーシングと、
前記ケーシングの内部に取り付けられ、前記パネル支持部を前記ケーシング内に固定する固定部と、を備え、
前記発光パネルは、前記支持接合部が前記パネル支持部に接合されて、前記パネル支持部により支持され、前記発光パネルが前記ケーシングに収容された取付位置と、前記発光パネルの一部が前記開口部を経由して前記ケーシングの外部に位置する脱着位置と、の間を、前記パネル支持部を軸として揺動する、照明装置。
【請求項２】
前記パネル支持部に対する前記発光パネルの相対位置を定める位置決め部をさらに備える、請求項１に記載の照明装置。
【請求項３】
複数の前記位置決め部を備える、請求項２に記載の照明装置。
【請求項４】
前記発光面は、前記開口部を介して前記ケーシングの外部へ露出する、請求項１から請求項３のいずれかに記載の照明装置。
【請求項５】
前記発光面を押圧することにより、前記発光パネルは前記取付位置から前記脱着位置へ、前記パネル支持部を軸として揺動する、請求項１から請求項４のいずれかに記載の照明装置。
【請求項６】
主表面と裏面とを有し、前記主表面側に発光面を有する、平板形状の発光パネルと、
前記発光パネルの前記裏面に取り付けられた支持接合部と、
前記発光パネルを支持するパネル支持部と、を備え、
前記発光パネルは、前記支持接合部が前記パネル支持部に接合されて、前記パネル支持部により支持され、
前記パネル支持部は、給電側電極を含み、
前記支持接合部は、受電側電極を含み、
前記給電側電極と前記受電側電極とが電気的に接続することにより、前記発光パネルへの給電経路が形成される、照明装置。
【請求項７】
前記発光パネルは、前記支持接合部と前記パネル支持部との接合を解除可能な第一の位置と、前記支持接合部が前記パネル支持部に対し固定された第二の位置と、の間を、前記パネル支持部を軸として揺動可能であり、
前記給電側電極と前記受電側電極とは、前記発光パネルが前記第二の位置に配置されたとき電気的に接続する、請求項６に記載の照明装置。
【請求項８】
前記パネル支持部に対する前記発光パネルの相対位置を定める位置決め部をさらに備える、請求項６または請求項７に記載の照明装置。
【請求項９】
複数の前記位置決め部を備える、請求項８に記載の照明装置。
【請求項１０】
主表面と裏面とを有し、前記主表面側に発光面を有する、平板形状の発光パネルと、
前記発光パネルの前記裏面に取り付けられた支持接合部と、
前記発光パネルを支持するパネル支持部と、
前記発光パネルを収容する、開口部が形成されたケーシングと、
前記ケーシングの内部に取り付けられ、前記パネル支持部を前記ケーシング内に固定する固定部と、を備えた照明装置に用いられる前記発光パネルにおいて、
前記発光パネルは、前記支持接合部がパネル支持部に接合されることによって前記パネル支持部に支持され、前記発光パネルが前記ケーシングに収容された取付位置と、前記発光パネルの一部が前記開口部を経由して前記ケーシングの外部に位置する脱着位置と、の間を、前記パネル支持部を軸として揺動する、発光パネル。
【請求項１１】
主表面と裏面とを有し、前記主表面側に発光面を有する、平板形状の発光パネルと、
前記発光パネルの前記裏面に取り付けられた支持接合部と、
前記発光パネルを支持するパネル支持部と、を備えた照明装置に用いられる前記発光パネルにおいて、
前記発光パネルは、前記支持接合部が前記パネル支持部に接合されて、前記パネル支持部により支持され、
前記パネル支持部に含まれる給電側電極と前記支持接合部に含まれる受電側電極とが電気的に接続することにより、前記発光パネルへの給電経路が形成される、発光パネル。
【国際調査報告】
2012073605.tif 000024
2012073605.tif 000025